(57)【特許請求の範囲】
【請求項１】
読み取られるべき画像が記録された原稿と、表面に所望の画像が形成される記録紙と、を挿入し得る用紙挿入口と、前記用紙挿入口に連接された用紙搬送路と、この用紙搬送路中に設けられるプラテンローラと、このプラテンローラを挟むように配置される読取手段および記録手段と、前記用紙搬送路中に設けられ、前記読取手段と前記プラテンローラとの間と、前記記録手段と前記プラテンローラとの間に選択的に用紙を導く切換手段と、を有し、前記用紙搬送路は、前記記録手段で記録される記録紙の搬送路と、前記読取手段で読み取られる原稿の搬送路とに共用されていることを特徴とする画像処理装置。
【請求項２】
上記用紙搬送路の切換手段上流側に、繰り込みローラを設けたことを特徴とする請求項１に記載の画像処理装置。
【発明の詳細な説明】
【０００１】
【発明の属する技術分野】
本発明は、ファクシミリ装置等の送信、受信及びコピー動作が行える画像処理装置に関するものである。
【０００２】
【従来の技術】
従来、ファクシミリ装置等の画像処理装置には、送信、受信及びコピーの３つの動作を行うための駆動機構が設けられている。すなわち、原稿搬送路と記録紙搬送路の２つの独立した経路が設けられ、原稿搬送路にフィードローラを、記録紙搬送路にプラテンローラを設けて、送信時にはフィードローラを回転駆動して送信原稿の給紙動作を行い、他方、受信時にはプラテンローラを回転駆動して記録紙の排出動作をう。更に、コピー時にはフィードローラの回転駆動による原稿給紙動作とプラテンローラの回転駆動による記録紙排出動作とを同時に行うようになっている。
【０００３】
【発明が解決しようとする課題】
しかしながら、上述したような従来の画像処理装置では、フィードローラとプラテンローラとを別個独立に駆動させる必要があるため、２本のローラの駆動に各々専用のモータを搭載しなければならない。さらに、原稿搬送路と記録紙搬送路の２つの独立した経路が設けられるため、部品点数が多い、コスト的に高くつく欠点が指摘され、装置全体としての小型、軽量化を妨げる要因ともなっている。
【０００４】
本発明の目的は、従来のこのような欠点を解消し、原稿搬送路と記録紙搬送路を共有化すると共に、１本のローラの駆動により送信、受信及びコピーの３つの動作を行うことができ、装置全体としての小型軽量化を図ることができる画像処理装置を提供することにある。
【０００５】
【課題を解決するための手段】
上記目的を達成するために、本発明は、読み取られるべき画像が記録された原稿と、表面に所望の画像が形成される記録紙と、を挿入し得る用紙挿入口と、前記用紙挿入口に連接された用紙搬送路と、この用紙搬送路中に設けられるプラテンローラと、このプラテンローラを挟むように配置される読取手段および記録手段と、前記用紙搬送路中に設けられ、前記読取手段と前記プラテンローラとの間と、前記記録手段と前記プラテンローラとの間に選択的に用紙を導く切換手段と、を有し、前記用紙搬送路は、前記記録手段で記録される記録紙の搬送路と、前記読取手段で読み取られる原稿の搬送路とに共用されている。さらに、用紙搬送路の切換手段上流側に、繰り込みローラを設けた。
【０００６】
【発明の実施の形態】
以下、本発明の実施の形態を図面を参照しつつ説明する。図１は、本発明の実施の形態の画像処理装置全体を示す斜視図である。図２は、図１の画像処理装置の断面を示す断面図である。図３は、図１の画像処理装置の読取動作を示す断面図である。図４は、図１の画像処理装置の記録動作を示す断面図である。
【０００７】
図１に示すように、本発明の実施の形態の画像処理装置は、上下ハウジング２Ａ、２Ｂで構成され、ハウジング２Ａの上面は操作面Ｓとなっている。操作面Ｓには、操作ボタンであるＦａｘ／Ｓｃａｎボタンａ、Ｐｒｉｎｔボタンｂとテンキーｔおよびディスプレイｄが設けられている。
【０００８】
そして、装置内部には、図２に示すように、原稿給紙用のローラと記録紙排出用のローラとを兼ねるプラテンローラ１が設けられている。このプラテンローラ１は、ペーパーガイド部材を兼ねる上下ハウジング２Ａ、２Ｂの間に収容されて、図示しない駆動モータにより正逆転可能に回転されるようになっている。また、ハウジング２Ｂ内部に制御部３０が設けられ、プラテンローラ１等の駆動や印字情報の制御が行われている。
【０００９】
プラテンローラ１の片側には、読取手段としてイメージスキャナ４が、押圧部材３によりプラテンローラ１に密着して設けられている。このイメージスキャナ４はカラー画像の読取が可能とされる。また、装置における図２中右側には、用紙挿入口５が開口し、用紙挿入口５には用紙を装置内の用紙搬送路５ａに繰り込む一対の繰り込みローラ６が設けられている。
【００１０】
プラテンローラ１と繰り込みローラ６との間には、用紙の搬送方向を選択的に切り換える切換手段である切換ガイド８が設けられている。切換ガイド８は、ソレノイド等の適宜の動作機構（図示せず）を備え、この動作機構のＯＮ・ＯＦＦ切り替え動作によって作動するようになっている。原稿Ｐ０は、上述の用紙挿入口５から挿入され、一対の繰り込みローラ６により装置内の用紙搬送路５ａに繰り込まれる。用紙搬送路５ａに繰り込まれた原稿Ｐ０は、切換ガイド８により、イメージスキャナ４とプラテンローラ１との間に導かれるようになっている。
【００１１】
原稿Ｐ０はイメージスキャナ４とプラテンローラ１に挟まれ、プラテンローラ１の時計方向の回転に伴い搬送され、プラテンローラ１の下流の用紙搬送路７ａを介して用紙搬送路７ａの下流側で外部に開口している用紙排出口７から排出されるようになっている。そして、プラテンローラ１による原稿給紙時には、プラテンローラ１により原稿Ｐがイメージスキャナ４に押しつけられた状態で搬送され、給紙された原稿の画像が読み取られることになる。
【００１２】
一方、プラテンローラ１の反対側には、記録手段であるインクジェットプリンタ９が配置されている。インクジェットプリンタ９は、インクジェットヘッドユニット１３と、インクジェットヘッドユニット１３を着脱自在に支持するヘッドユニット支持台１４と、ヘッドユニット支持台１４を摺動自在に移動させて支持するレール１８、１９とから主に構成されている。
【００１３】
インクジェットヘッドユニット１３は、インクジェットヘッド１５とインクカートリッジ１６とから構成されている。インクジェットヘッドユニット１３は、磁石の磁力や樹脂の弾性力を利用した図示しない係止手段によって、ヘッドユニット支持台１４に着脱自在に支持されている。
【００１４】
記録紙Ｐも、原稿Ｐ０と同様、上述の用紙挿入口５から挿入され、一対の繰り込みローラ６により装置内の用紙搬送路５ａに繰り込まれる。用紙搬送路５ａに繰り込まれた記録紙Ｐは、切換ガイド８により、インクジェットプリンタ９におけるインクジェットヘッド１５の印字部１７と、プラテンローラ１との間に導かれるようになっている。
【００１５】
そして、図示しない駆動源によりプラテンローラー１は図４中反時計方向に回転し、記録紙Ｐの先端がプラテンローラ１とインクジェットヘッド１５の印字部１７との間に達し、印字動作が開始される。記録紙Ｐはその後、プラテンローラ１とプラテンローラ１に押圧されたプレスローラ２０とに挟まれる。ヘッドユニット支持台１４は図示しない駆動手段により、プラテンローラ１に沿ってプラテンローラ１の長手方向（図２中紙面垂直方向）に往復移動する。
【００１６】
その往復移動時、インクジェットヘッド１５の動作により、インクカートリッジ１６のインクが印字部１７から記録紙Ｐの表面に付着されて画像が形成される。尚、プラテンローラ１とプレスローラ２０にニップされるまでは、繰り込みローラ６が駆動され記録紙Ｐが搬送される。
【００１７】
画像が形成された記録紙Ｐは、プラテンローラ１の反時計方向の回転に伴い搬送され、原稿Ｐ０と同様、プラテンローラ１の下流の用紙搬送路７ａに搬送され、用紙搬送路７ａの下流側の用紙排出口７から排出されるようになっている。
【００１８】
以上の如く構成された装置であれば、原稿Ｐ０の搬送路と記録紙Ｐの搬送路とが共有されると共に、１本のプラテンローラ１を正逆回転駆動することによって１本のプラテンローラ１が読取と記録とに共有されているにもかかわらず、画像処理装置に必要な紙送り動作の全てをまかなうことができる。
【００１９】
そこで、先ず、ファクシミリ送信時の操作について述べる。送信時には、用紙挿入口７に原稿Ｐ０を、原稿読取面が図２中、下方となるように挿入する。挿入された原稿Ｐ０が図示しない検出手段により検出され、繰り込みローラ６が駆動され、原稿Ｐ０は用紙搬送路５ａに搬送され、停止する。
【００２０】
そして、図１に示したテンキーｔで相手番号を入力後、Ｆａｘ／Ｓｃａｎボタンａを押すと、図３に示すように切換ガイド８が図３中上方に揺動すると共に、繰り込みローラ６が再駆動し、原稿Ｐ０がスキャナー４とプラテンローラ１との間に搬送される。プラテンローラ１が時計方向に回転駆動されると、プラテンローラ１とイメージスキャナ４間に原稿Ｐ０が繰込まれる、そして、イメージスキャナ４で連続的に画像が読取られ、制御部３０により図示しない電話回線や電波を介して画像情報の信号が送出される。読取られた原稿Ｐ０は用紙搬送路７ａを介して用紙排出口７より排出される。
【００２１】
次に、受信時の操作について述べる。図示しない電話回線や電波を介して画信号等を受信すると、画像情報は制御部３０のメモリに蓄積され、画信号等を受信したことが、図１に示したディスプレイｄに表示される。用紙挿入口５に記録紙Ｐを、印字面が図４中上方となるように挿入する。挿入された記録紙Ｐが図示しない検出手段により検出され、繰り込みローラ６が駆動され、記録紙Ｐは用紙搬送路５ａに搬送され、停止する。
【００２２】
図１に示したＰｒｉｎｔボタンｂを押すと、図４に示すように切換ガイド８が図４中下方に揺動すると共に、繰り込みローラ６が再駆動され、記録紙Ｐがインクジェットプリンタ９の印字部１７とプラテンローラ１との間に導かれ、印字が開始される。制御部３０のメモリに蓄積された画信号に基づき、上述の印字動作が行われ、記録紙Ｐに画信号に対応する画像が形成される。画像が形成された記録紙Ｐは、用紙搬送路７ａを介して用紙排出口７より排出される。
【００２３】
次に、コピー時の操作について述べる。コピー時では、先ず、送信時の操作と同様、コピ−する原稿Ｐ０を先ず、用紙挿入口７に原稿読取面が図２中下方となるように挿入する。挿入された原稿Ｐ０が図示しない検出手段により検出され、繰り込みローラ６が駆動し、原稿Ｐ０は用紙搬送路５ａに搬送され、停止する。そして、図１に示したＦａｘ／Ｓｃａｎボタンａを押すと、図３に示すように切換ガイド８が図３中上方に揺動すると共に、繰り込みローラ６が再駆動され、原稿Ｐ０がイメージスキャナ４とプラテンローラ１との間に搬送される。
【００２４】
プラテンローラ１が時計方向に回転駆動すると、プラテンローラ１とイメージスキャナ４間に原稿Ｐ０が繰り込まれて、イメージスキャナ４で連続的に画像が読取られる。読取られた画像はコピー情報として制御部３０のメモリに蓄積され、コピー情報が蓄積されたことが、図１に示したディスプレイｄに表示される。読取られた原稿Ｐ０は用紙搬送路７ａを介して用紙排出口７より排出される。
【００２５】
次に、受信時と同様に、コピー情報を印字する記録紙Ｐを、印字面が図４中上方となるように用紙挿入口７に挿入する。挿入された記録紙Ｐが図示しない検出手段により検出され、繰り込みローラ６が駆動され、記録紙Ｐは用紙搬送経５ａに搬送され、停止する。図１に示したＰｒｉｎｔボタンｂを押すと、図４に示すように切換ガイド８が図４中下方に揺動すると共に、繰り込みローラ６が再駆動され、記録紙Ｐがインクジェットプリンタ１９の印字部１７とプラテンローラ１との間に導かれ、コピー情報の印字が開始される。
【００２６】
コピー情報の印字は、制御部３０のメモリに蓄積されたコピー情報に基づき、コピー情報の印字動作が行われ、記録紙Ｐに画信号に対応する画像が形成される。コピー情報が記録された記録紙Ｐは、用紙搬送路７ａを介して用紙排出口７より排出される。
【００２７】
このように１本のプラテンローラ１を原稿読取におけるロ−ラと記録紙印字におけるローラとに兼用するようにしたものであれば、画像処理装置の基本的な３動作を行わせるために必要な駆動ローラが１本で足り、その駆動源（モータ）も１個で済み、全体として部品点数が少なく構造がシンプルで、かつ低コストの装置が実現され、画像処理装置の小型軽量化にも資するものなる。また、切換ガイド８により、送信（読み取り）・受信（印字）方向に用紙の搬送路を切り換え、駆動モーターの正・逆で用紙を送る構造となっているので、原稿、記録紙をそれぞれ読取手段、記録手段に確実に選択して導くことができる。
【００２８】
尚、上記実施の形態の読取手段がカラー画像を読み取り可能なイメージスキャナであり、記録手段がインクジェトプリンタであるため、上述のような小型軽量な画像装置んいおいても読み取り・記録のカラー化が容易である。
【００２９】
また、上記実施の形態では、切換手段上流側に繰り込みローラを設けた場合を説明したが、繰り込みローラを省略することも可能であり、適宜設計変更することが可能である。
【００３０】
【発明の効果】
上述のように、請求項１の発明により、プラテンローラを正逆転駆動することと切換手段による用紙搬送を切り換えることで、原稿の繰込みと排出および記録の紙繰込みと排出動作とを択一的に行わせることが可能となる。そのため、１本のローラ駆動でファクシミリ装置等の画像処理装置に必要な紙送り動作の全てをまかなうことができ、駆動ローラが１本で足り、駆動モータも単一で済むことから、駆動機構を部品点数の少ない構造シンプルなものにできる。従って、画像処理装置のコストダウンを図ることができ、装置の小型軽量化を推進することができる。
【００３１】
請求項２の発明により、記録手段で記録される記録紙の搬送路と、読取手段で読み取られる原稿の搬送路とが共用されているので、原稿および記録紙に対して同じ挿入口と排出口になり、操作が簡易になると共に、さらに装置をコンパクト化、軽量化することができる。
【００３２】
請求項３の発明により、原稿を読取手段に確実に搬送することができると共に、記録紙を記録手段に確実に搬送することができる。
【図面の簡単な説明】
【図１】本発明の実施の形態の画像処理装置全体を示す斜視図である。
【図２】図１の画像処理装置の断面を示す断面図である。
【図３】図１の画像処理装置の読取動作を示す断面図である。
【図４】図１の画像処理装置の記録動作を示す断面図である。
【符号の説明】
１      プラテンローラ
４      イメージスキャナ（読取手段）
５ａ    用紙搬送路
６      繰り込みローラ
７ａ    用紙搬送路
８      切換ガイド（切換手段）
９      インクジェットプリンタ（記録手段）
Ｐ０      原稿
Ｐ      記録紙
【図１】
0003785777.tif 000002
【図２】
0003785777.tif 000003
【図３】
0003785777.tif 000004
【図４】
0003785777.tif 000005